(57)【要約】【課題】温度表示に違和感が無い、使い勝手の良い電気湯沸かし器を提供する。【解決手段】容器２内の液体を加熱する加熱源３と、液体の温度を検出する温度検知手段４と、液体の水量を判定する水量判定手段６と、水量判定前に温度検知手段４で検出した温度と実際の液体温度の差を補正する水量判定前補正手段８と、水量判定後に水量判定結果に応じて温度検知手段４で検出した温度と実際の液体温度の差を補正する水量判定後補正手段７と、水量判定前補正手段８又は水量判定後補正手段７で確定された温度を表示する表示手段５を備え、水量判定後、水量判定前補正手段８から水量判定後補正手段７に切り換わった後は、表示手段５による温度表示の差が所定値以上であれば、水量判定前補正手段８により確定された温度から水量判定後補正手段７により確定された温度まで段階的に表示温度を切り替えるもので、湯温表示が飛ぶのを防止し、違和感がなくなる。【選択図】図１
2011224285.tif 000002
【特許請求の範囲】
【請求項１】
液体を収容する容器と、液体を加熱する加熱源と、液体の温度を検出する温度検知手段と、液体の水量を判定する水量判定手段と、前記水量判定手段による水量判定前に前記温度検知手段により検出した温度と実際の液体温度の差を補正する水量判定前補正手段と、前記水量判定手段による水量判定後に、水量判定結果に応じて前記温度検知手段により検出した温度と実際の液体温度の差を補正する水量判定後補正手段と、前記水量判定前補正手段又は前記水量判定後補正手段により確定された温度を表示する表示手段と、前記表示手段を制御する制御手段を備え、水量判定後、前記水量判定前補正手段から前記水量判定後補正手段に切り換わった後は、前記表示手段による温度表示の差が所定値以上であれば、前記水量判定前補正手段により確定された温度から前記水量判定後補正手段により確定された温度まで段階的に表示温度を切り替えるようにした電気湯沸かし器。
【請求項２】
水量判定前補正手段により確定した温度の表示中は、その表示を点滅させる請求項１に記載の電気湯沸かし器。
【請求項３】
段階的に表示温度切替中は、表示を点滅して行う請求項１に記載の電気湯沸かし器。
【請求項４】
水量判定前補正手段により確定した温度を表示中と段階的に表示温度切替中は、表示を点滅して行う請求項１に記載の電気湯沸かし器。
【請求項５】
段階的に表示温度切替中は、所定時間毎に切替える請求項３又は４に記載の電気湯沸かし器。
【請求項６】
段階的に表示温度切替中に、容器内の液体の温度が低下したことを検知すると、段階的温度表示切り替えを中止することを特徴とした請求項３〜５のいずれか１項に記載の電気湯沸かし器。
【請求項７】
段階的に表示温度切替中に、容器内の液体の温度が低下したことを検知すると、水量判定手段により液体の水量を再判定することを特徴とした請求項３〜５のいずれか１項に記載の電気湯沸かし器。
【発明の詳細な説明】
【技術分野】
【０００１】
本発明は、電気湯沸かし器に関するものである。
【背景技術】
【０００２】
従来、この種の電気湯沸かし器においては、電源供給をＡＣ電源供給からバックアップ電源による供給に移行した後、湯温表示は商用電源の供給が終了したときの温度を所定時間維持させるようにしている（例えば、特許文献１参照）。
【０００３】
この電気湯沸かし器によれば、バックアップ電源による電源供給に移行した後、所定時間は、商用電源の供給が終了したときの温度表示を維持することで、湯温表示のちらつきを防止し、違和感をなくすことができ、使い勝手を向上させることができるものである。
【先行技術文献】
【特許文献】
【０００４】
【特許文献１】特許第３６０６２４８号公報
【発明の概要】
【発明が解決しようとする課題】
【０００５】
しかしながら、上記特許文献１に記載されたような従来の電気湯沸かし器の構成では、ＡＣ電源供給中の湯沸かし時、容器と温度センサーの構成等により、容器内の温度を検知する温度センサーと実際の水温の間で差が生じる場合には、水量判定結果に基づき温度センサーにより検出した温度を補正するが、水量判定前は、水量確定前補正値、つまり水量に影響されない仮補正値に基づき補正しているため、水量判定前後の水量確定前補正値と水量確定後補正値の差によっては、湯温が未変化にもかかわらず、温度表示が大きく変化してしまう。
【０００６】
このため、ＡＣ電源供給からバックアップ電源による電源供給に移行した後の湯温表示は違和感なく使い勝手は良かったが、ＡＣ電源供給中の湯沸かし時等、使用状況や温度表示タイミングによっては、湯温表示が大きく変化するために、そのようなときは湯温表示に関して違和感があり、使い勝手が良くない、といった課題があった。
【０００７】
本発明は、前記従来の課題を解決するもので、ＡＣ電源供給中の湯沸かし時、水量判定終了後、水量判定前の水量確定前補正値から水量判定後の水量確定後補正値に切り換わった後は、補正後の温度表示の差が大きく異なるとき、水量判定後の水量確定後補正値による温度表示には即更新せず、補正後の温度表示まで段階的に表示温度を切り替えることで、例えば、湯温表示が「温度４０」から「温度５０」に即切り換わり、「温度４５」が飛ぶことを防止し、違和感をなくすことができ、使い勝手を向上させた電気湯沸かし器を提供することを目的とする。
【課題を解決するための手段】
【０００８】
前記従来の課題を解決するために、本発明の電気湯沸かし器は、液体を収容する容器と、液体を加熱する加熱源と、液体の温度を検出する温度検知手段と、液体の水量を判定する水量判定手段と、前記水量判定手段による水量判定前に前記温度検知手段により検出した温度と実際の液体温度の差を補正する水量判定前補正手段と、前記水量判定手段による水量判定後に、水量判定結果に応じて前記温度検知手段により検出した温度と実際の液体温度の差を補正する水量判定後補正手段と、前記水量判定前補正手段又は前記水量判定後補正手段により確定された温度を表示する表示手段と、前記表示手段を制御する制御手段
を備え、水量判定後、前記水量判定前補正手段から前記水量判定後補正手段に切り換わった後は、前記表示手段による温度表示の差が所定値以上であれば、前記水量判定前補正手段により確定された温度から前記水量判定後補正手段により確定された温度まで段階的に表示温度を切り替えるようにしたもので、湯温表示が飛ぶことを防止し、違和感をなくすことができ、使い勝手を向上させることができる。
【発明の効果】
【０００９】
本発明の電気湯沸かし器は、ＡＣ電源供給中の湯沸かし時、水量判定終了後、水量判定前の水量確定前補正値から水量判定後の水量確定後補正値に切り換わった後は、補正後の温度表示の差が大きく異なるとき、水量判定後の水量確定後補正値による温度表示には即更新せず、補正後の温度表示まで段階的に表示温度を切り替えることで、湯温表示が飛ぶことを防止し、違和感をなくすことができる。
【図面の簡単な説明】
【００１０】
【図１】本発明の実施の形態１における電気湯沸かし器のブロック図
【図２】本発明の実施の形態２における電気湯沸かし器のブロック図
【図３】本発明の実施の形態３における電気湯沸かし器のブロック図
【発明を実施するための形態】
【００１１】
第１の発明は、液体を収容する容器と、液体を加熱する加熱源と、液体の温度を検出する温度検知手段と、液体の水量を判定する水量判定手段と、前記水量判定手段による水量判定前に前記温度検知手段により検出した温度と実際の液体温度の差を補正する水量判定前補正手段と、前記水量判定手段による水量判定後に、水量判定結果に応じて前記温度検知手段により検出した温度と実際の液体温度の差を補正する水量判定後補正手段と、前記水量判定前補正手段又は前記水量判定後補正手段により確定された温度を表示する表示手段と、前記表示手段を制御する制御手段を備え、水量判定後、前記水量判定前補正手段から前記水量判定後補正手段に切り換わった後は、前記表示手段による温度表示の差が所定値以上であれば、前記水量判定前補正手段により確定された温度から前記水量判定後補正手段により確定された温度まで段階的に表示温度を切り替えるようにしたもので、湯温表示が飛ぶことを防止し、違和感をなくすことができ、使い勝手を向上させることができる。
【００１２】
第２の発明は、特に、第１の発明の水量判定前補正手段により確定した温度の表示中は、その表示を点滅させるもので、電力消費を低減することができる。
【００１３】
第３の発明は、特に、第１の発明の段階的に表示温度切替中は、表示を点滅して行うもので、電力消費を低減することができる。
【００１４】
第４の発明は、特に、第１の発明の水量判定前補正手段により確定した温度を表示中と段階的に表示温度切替中は、表示を点滅して行うもので、電力消費を低減することができる。
【００１５】
第５の発明は、特に、第３又は第４の発明の段階的に表示温度切替中は、所定時間毎に切替えるもので、表示の利便性及び機能性を向上させることができる。
【００１６】
第６の発明は、特に、第３〜５のいずれか１つの発明の段階的に表示温度切替中に、容器内の液体の温度が低下したことを検知すると、段階的温度表示切り替えを中止するもので、表示手段の利便性を向上させることができる。
【００１７】
第７の発明は、特に、第３〜５のいずれか１つの発明の段階的に表示温度切替中に、容
器内の液体の温度が低下したことを検知すると、水量判定手段により液体の水量を再判定するもので、容器内の水量に応じた適正な温度表示を行うことができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における電気湯沸かし器のブロック図を示すものである。
【００２０】
図１において、１は、商用電源を供給するための電源プラグ、２は、加熱する液体を収容する容器、３は、９２５Ｗ、７５Ｗの２つのヒータからなり容器２を加熱する加熱源、４は、容器２内の液体の温度を検知する温度検知手段、５は、容器２の中の液体の温度（本実施の形態では５℃から１００℃まで５℃毎）等を表示する表示手段、６は、温度検知手段４からの温度入力値に基づき容器２の中の液体の水量を判定する水量判定手段、７は、水量判定手段６による水量判定結果と、温度検知手段４からの温度入力値に応じて容器２の中の液体の水量に応じた補正値を決定する水量判定後補正手段、８は、水量判定手段６による水量確定前に温度検知手段４からの温度入力値に応じて容器２の中の液体の補正値を決定する水量判定前補正手段、９は、水量判定後補正手段７と水量判定前補正手段８による補正結果に応じて補正結果の差が所定値（本実施の形態では、１０）以上であるか否かを判定する補正結果判定手段、１０は、温度検知手段４からの温度入力値と補正結果判定手段９に応じて表示手段５および加熱源３を制御する制御手段である。
【００２１】
なお、容器２内の液体はポンプ１１によりパイプ１２を介して吐出口１３より吐出されるものである。
【００２２】
以上のように構成された本実施の形態における電気湯沸かし器の動作、作用は、以下の通りである。
【００２３】
電源プラグ１が装着され商用電源が供給されると、まず、温度検知手段４により容器２内の液体の温度を検知し、検知した温度が低い場合には制御手段１０により、加熱源３を制御し容器２内の液体の加熱を開始する。また、検知した温度が高い場合には、制御手段１０により、加熱源３を制御し容器２内の液体の保温を行う。
【００２４】
このとき、温度検知手段４で検知した液体の温度と容器２内の液体の実際の水温の間で差が生じる場合には、制御手段１０は表示手段５を制御し、温度検知手段４で検知した液体の温度に対し、加熱中は、補正値に基づいた温度表示、保温中は、補正値に基づきかつ設定した保温温度以上を表示する温度表示を行う。
【００２５】
ここで、加熱中の補正値に基づいた温度表示において、水量判定前補正手段８から水量判定後補正手段７に切り換わるタイミングにおいて、表示手段５による温度表示の差を比較する補正結果判定手段９は、判定結果が１０℃以上であるならば水量判定前後において温度表示を水量判定前補正値による表示値から水量判定後補正値による表示値まで段階的（本実施の形態では５℃毎）に切り替え、判定結果が５℃であるならば水量判定後補正値による表示値に即切り替え、それぞれにおいて温度を表示する。
【００２６】
以上のような構成により、水量判定前後において、補正値による温度表示確定値が所定値以上であれば、水量判定前補正手段により確定された温度から水量判定後補正手段により確定された温度まで段階的に表示温度を切り替えることで、湯温表示が１０℃以上飛ぶことを防止し、違和感をなくすことができる。
【００２７】
なお、水量判定前補正手段８により確定した温度を表示手段５で表示する際に、その表示を点滅（例えば、１秒ＯＮ、０．５秒ＯＦＦ）させるようにすれば、表示手段５の点灯時間が削減されるので、電力消費を低減することができる。
【００２８】
また、表示手段５で、段階的に表示温度を切替えるときに、その表示を点滅（例えば、１秒ＯＮ、０．５秒ＯＦＦ）させるようにすれば、表示温度と実際の水温に誤差があることを使用者に知らしめ、また、表示手段５の点灯時間を同じく削減し、電力消費を低減することができる。
【００２９】
更に、水量判定前補正手段８により確定した温度を表示中と段階的に表示温度切替中に、表示手段５で表示する表示を点滅（例えば、１秒ＯＮ、０．５秒ＯＦＦ）させるようにすれば、表示温度と実際の水温に誤差があることを使用者に知らしめ、同じく、表示手段５の点灯時間を削減し、電力消費を低減することができる。
【００３０】
（実施の形態２）
図２は、本発明の第２の実施の形態における電気湯沸かし器のブロック図を示すものである。なお、上記第１の実施の形態における電気湯沸かし器と同一部分には、同一符号を付与し、その説明を省略する。
【００３１】
本実施の形態における電気湯沸かし器は、図２に示すように、表示手段５で各温度を表示している時間を計測する表示時間計測手段１４を設け、制御手段１０が、前記表示時間計測手段１４で計測した時間に基づき、所定時間（本実施の形態では５秒）毎に、段階的に表示温度の切り替えを行うようにしたもので、他の構成は、上記第１の実施の形態における電気湯沸かし器と同一である。
【００３２】
本実施の形態における電気湯沸かし器は、以上のように構成されているので、湯温表示が飛ぶことを防止できるだけでなく、各温度を所定時間確実に表示することにより、表示の利便性及び機能性を向上させることができる。
【００３３】
（実施の形態３）
図３は、本発明の第３の実施の形態における電気湯沸かし器のブロック図を示すものである。なお、上記第２の実施の形態における電気湯沸かし器と同一部分には同一符号を付与し、その説明を省略する。
【００３４】
本実施の形態における電気湯沸かし器は、図３に示すように、温度検知手段４からの温度入力値に応じて容器２の中の液体の温度低下を検知する温度低下検知手段１５を新たに設けて、表示手段５による温度表示を、段階的に切り替え中、制御手段１０が、温度低下検知手段１５により容器２内の液体の温度低下を検知すると、段階的温度表示切り替えを中止させるようにしたものである。
【００３５】
このような構成により、水量確定後の補正値に基づいた温度表示を行っている途中で、水追加等により水量が変化した場合においても、即、水量確定後の補正値に基づいた温度表示を中止させることで、表示の利便性を向上させることができる。
【００３６】
また、表示手段５による温度表示を段階的に切り替え中、制御手段１０が、温度低下検知手段１５により容器２内の液体の温度低下を検知すると、水量判定手段６により液体の水量を再判定するようにすれば、水量確定後の補正値に基づいた温度表示を行っている途中、水追加等により水量が変化した場合においても、再度、水量判定手段６により容器２の中の液体の水量を判定することにより、常時、容器内の水量に応じた適正な温度表示を
行うことができ、表示の利便性及び機能性を向上させることができる。
【産業上の利用可能性】
【００３７】
以上のように、本発明にかかる電気湯沸かし器は、湯温表示が飛ぶことを防止し、違和感をなくすことができるものであり、ビルトインタイプの給湯器などを含む多くの家庭電化製品等、容器内の液体温度を表示するものなどにも適用できる。
【符号の説明】
【００３８】
１  電源プラグ
２  容器
３  加熱源
４  温度検知手段
５  表示手段
６  水量判定手段
７  水量判定後補正手段
８  水量判定前補正手段
９  補正結果判定手段
１０  制御手段
１１  ポンプ
１２  パイプ
１３  吐出口
１４  表示時間計測手段
１５  温度低下検知手段
【図１】
2011224285.tif 000003
【図２】
2011224285.tif 000004
【図３】
2011224285.tif 000005